(57)【要約】【課題】クロストーク現象による画質の低下を防止可能な立体映像表示装置を提供すること。【解決手段】左眼用及び右眼用映像を表示するイメージ表示部１００と、イメージ表示部１００のいずれか一面に対して対向配置されて、イメージ表示部１００の映像を使用者の左眼方向と右眼方向とに分離するパララックスバリア２００と、を含み、パララックスバリア２００は、ノーマリーブラックモードの液晶表示素子で形成されることを特徴とする、立体映像表示装置が提供される。かかる構成により、一つのピッチ（Ｐ）内は勿論、パララックスバリア２００の全体領域における占める開口率は５０％以下に落とすことができ、クロストークによる立体映像の画質低下を防止できる。また、開口率の減少による、立体映像表示装置の輝度の低下は、イメージ表示部１００の輝度を全体的に増加させることによって、防止できる。【選択図】図１
2007156413.tif 000002
【特許請求の範囲】
【請求項１】
左眼用映像及び右眼用映像を表示するイメージ表示部と；
前記イメージ表示部のいずれか一面に対して対向配置されて、前記イメージ表示部の映像を使用者の左眼方向と右眼方向とに分離するパララックスバリアと；
を含み、
前記パララックスバリアは、ノーマリーブラックモードの液晶表示素子で形成されることを特徴とする、立体映像表示装置。
【請求項２】
前記パララックスバリアは、
第１基板と；
前記第１基板上に第１方向に形成される複数の第１電極と；
前記第１基板上に相隣接した前記第１電極の間に形成される第２電極と；
前記第１基板に対して対向配置される第２基板と；
前記第２基板上に形成される第３電極と；
前記第１基板と前記第２基板との間に配置される液晶層と；
前記第１基板及び前記第２基板の外面に配置される一対の偏光板と；
を含むことを特徴とする、請求項１に記載の立体映像表示装置。
【請求項３】
前記第１電極と前記第２電極とは互いに同じ幅を有し、前記第１電極と前記第２電極との間には所定の幅を有するギャップが形成されることを特徴とする、請求項２に記載の立体映像表示装置。
【請求項４】
前記第３電極は、共通電極として形成されることを特徴とする、請求項２または３に記載の立体映像表示装置。
【請求項５】
前記イメージ表示部は、
前記第１電極のパターンに対応する第１ピクセルと、前記第２電極のパターンに対応する第２ピクセルとが、交互に反復配置され、
第１期間において、前記第１電極に液晶駆動電圧が印加され、前記第１ピクセルに前記左眼用映像が表示され、前記第２ピクセルに前記右眼用映像が表示されて、
第２期間において、前記第２電極に前記液晶駆動電圧が印加され、前記第１ピクセルに前記右眼用映像が表示され、前記第２ピクセルに前記左眼用映像が表示されることを特徴とする、請求項２〜４のいずれかに記載の立体映像表示装置。
【請求項６】
前記左眼用映像と前記右眼用映像とは、時分割されて駆動されることを特徴とする、請求項１〜５のいずれかに記載の立体映像表示装置。
【発明の詳細な説明】
【技術分野】
【０００１】
本発明は、立体映像表示装置に関する。
【背景技術】
【０００２】
立体映像表示装置は、使用者の左眼と右眼とに、互いに異なるイメージを提供して、使用者が見る映像に、距離感と立体感とを感じるようにする装置でる。上記立体映像表示装置には、ステレオスコピー方式とオートステレオスコピー方式とがある。最近は、装置使用者が、偏光眼鏡のような装備を着用せずに、立体映像を視聴できるオートステレオスコピー方式が、活発に開発されている。
【０００３】
通常のオートステレオスコピー装置は、イメージ表示部前面にパララックスバリア、レンチキュラレンズ又はマイクロレンズアレイ等を備えて、イメージ表示部で実際に表示されたイメージを、空間分割する方式を採択している。
【０００４】
特に、パララックスバリアは、透過型液晶表示素子を応用した、液晶表示素子として製作できる。この場合、２次元モードと３次元モードの変換が可能という長所があるため、ノートパソコンやモバイル電話などに、容易に適用できる。
【０００５】
通常のパララックスバリアは、ディスプレイイメージ表示部の縦方向に沿って、長く配列された帯形状の、光遮断部と光透過部からなる。このようなパララックスバリアは、イメージ表示部で、サブピクセル別またはピクセル別に分離されて、実際に表示された左眼用映像と右眼用映像とを、光透過部を通して、選択的に使用者の左眼方向と右眼方向とに分離させる。
【０００６】
上記パララックスバリア方式の立体映像表示装置は、一般にディスプレイのピクセルに入力される左右映像信号によって、左右眼用映像を表示し、左眼用映像と右眼用映像とを、パララックスバリアを用いて、空間的に分離する（空間分割方式）。
【０００７】
しかしながら、上記の立体映像表示装置では、左眼用映像と右眼用映像とを空間的に分割して、使用者の両眼に提供するので、既存の２次元で実現される映像の解像度に比べて、上記立体映像装置の解像度を半分に落とすことになる。
【０００８】
上記問題を解決するために、時分割駆動方式の立体映像表示装置が開発された。
【０００９】
時分割方式の立体映像表示装置は、イメージ表示部で、左眼用映像と右眼用映像とのパターンを、一定の時間間隔をおいて、互いに置き換えて表示する。この時間間隔に対応して、パララックスバリアの光遮断部と光透過部とのパターンが、互いに置き換わって形成されるようにして、空間分割方式に比べて解像度が低下しない、立体映像を表示できる。よって、時分割方式の立体映像表示装置は、空間分割方式の立体映像表示装置に比べて高解像度を実現し、空間分割方式の立体映像装置より良質の立体映像を実現するが可能である。
【発明の開示】
【発明が解決しようとする課題】
【００１０】
しかし、上記従来の時分割方式の立体映像表示装置によれば、パララックスバリアが液晶表示素子で構成される場合、液晶表示素子が有する、構造的な限界によって、パララックスバリアの開口率（パララックスバリアの幅全体に対する透過部の割合。）は、通常５０％以上に高まる。
【００１１】
パララックスバリアの開口率の上昇により、パララックスバリアを通して、区分される、左眼用映像と右眼用映像との間に、クロストーク現象の起こる確率が高まる。このクロストーク現象によって、立体映像表示装置で実現される画像の質が落ち、最上の画質を使用者に提供できなくなるという問題点がある。
【００１２】
そこで、本発明は、上記問題に鑑みてなされたものであり、本発明の目的とするところは、時分割方式による高解像度の立体映像を表示し、クロストーク現象による画質の低下を防止可能な、新規かつ改良された立体映像表示装置を提供することにある。
【課題を解決するための手段】
【００１３】
上記課題を解決するために、本発明のある観点によれば、左眼用映像及び右眼用映像を表示するイメージ表示部と、イメージ表示部のいずれか一面に対して対向配置されて、イメージ表示部の映像を使用者の左眼方向と右眼方向とに分離するパララックスバリアと、を含み、パララックスバリアは、ノーマリーブラックモードの液晶表示素子で形成されることを特徴とする、立体映像表示装置が提供される。
【００１４】
また、パララックスバリアは、第１基板と、第１基板上に第１方向に形成される複数の第１電極と、第１基板上に相隣接した第１電極の間に形成される第２電極と、第１基板に対して対向配置される第２基板と、第２基板上に形成される第３電極と、第１基板と第２基板との間に配置される液晶層と、第１基板及び第２基板の外面に配置される一対の偏光板と、を含んでもよい。
【００１５】
また、第１電極と第２電極とは互いに同じ幅を有し、第１電極と第２電極との間には所定の幅を有するギャップが形成されてもよい。
【００１６】
また、第３電極は、共通電極として形成されてもよい。
【００１７】
また、イメージ表示部は、第１電極のパターンに対応する第１ピクセルと、第２電極のパターンに対応する第２ピクセルとが、交互に反復配置され、第１期間において、第１電極に液晶駆動電圧が印加され、第１ピクセルに左眼用映像が表示され、第２ピクセルに右眼用映像が表示されて、第２期間において、第２電極に液晶駆動電圧が印加され、第１ピクセルに右眼用映像が表示され、第２ピクセルに左眼用映像が表示されてもよい。
【００１８】
また、左眼用映像と右眼用映像とは、時分割されて駆動されてもよい。
【発明の効果】
【００１９】
以上説明したように、本発明によれば、ノーマリーブラックモードの液晶表示素子を用いたパララックスバリアを使うことによって、時分割方式による高解像度の立体映像を表示し、クロストーク現象による画質の低下を防止できる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
まず、図１を参照して、本発明の実施形態に係る立体映像表示装置の構成について説明する。図１は、本発明の実施形態に係る立体映像表示装置を示す断面図である。本実施形態に係る立体映像表示装置は、詳しくは、パララックスバリアを用いるオートステレオスコピー方式の立体映像表示装置である。図１に示すように、本実施形態による立体映像表示装置は、イメージ表示部１００及びパララックスバリア２００を含む。パララックスバリア２００は、イメージ表示部１００のいずれか一面にある映像観察面に対して対向配置される。
【００２２】
イメージ表示部１００は、所定のパターンを有する、左眼用映像及び右眼用映像を表示する。この場合、イメージ表示部１００に示される、左眼用映像及び右眼用映像のパターンは、互いに異なる第１映像と第２映像が、所定の映像周波数を有しながら、時間的に繰り返して、表示されることで、実現される。
【００２３】
イメージ表示部１００としては、今までに開発された全ての表示装置が、使用可能である。
【００２４】
イメージ表示部１００は、例えば、陰極線管（ＣＲＴ）、液晶表示装置（ＬＣＤ）、プラズマ表示装置（ＰＤＰ）、電界放出表示装置（ＦＥＤ）及び有機電界発光表示装置（ＯＬＥＤ）のうちの何れか一つを用いることができる。
【００２５】
パララックスバリア２００は、オフの状態には光を透過しないノーマリーブラックモードの液晶表示素子を用いて形成される。ここで、ノーマリーブラックモードの液晶表示素子とは、通常、光を透過せず、駆動電圧を印加した際に光を透過する液晶表示素子のことである。
【００２６】
以下で、パララックスバリア２００について、具体的に説明する。パララックスバリア２００は、任意の間隔を挟んで対向配置される第１基板１０と第２基板１２とを含む。本実施形態で両基板１０、１２の各々は、一対の短辺と長辺とを有する長方形形態のガラス基板で構成される。
【００２７】
第１基板１０と第２基板１２とが、互いに対向するそれぞれの面には、第１基板１０と第２基板１２との間に配置される、液晶層２２を駆動させるための電極が、形成される。第１基板１０には、第１電極１４及び第２電極１６が形成され、第２基板１２には、第３電極１８が形成される。また、第３電極１８は、第２基板１２の全面に、所定のまたは任意の形状で形成される。液晶表示素子は、第３電極と第１電極１４との間に形成される電位差と、第３電極１８と第２電極１６との間に形成される電位差とによってを駆動される。ここで、第３電極１８は、第１電極１４と第２電極１６との両電極に対して共通に使用される（共通電極）。
【００２８】
また、第１基板１０と第２基板１２とには、それぞれ第１電極１４及び第２電極１６と第３電極１８とを覆う一対の配向膜（２０ａ、２０ｂ）が形成される。
【００２９】
第１電極１４、第２電極１６及び第３電極１８は、例えば、インジウム錫酸化物（ＩＴＯ）のような透明材質で構成されうる。また、第１基板１０と第２基板１２とのそれぞれの外面には、一対の偏光板（２４ａ、２４ｂ）が配置される。
【００３０】
次に、図２を参照して、本実施形態に係る第１電極１４及び第２電極１６の具体的な構造について説明すいる。図２は、第１基板１０に形成された第１電極１４及び第２電極１６の構造を示す電極構造図である。図２に示すように、第１基板１０の上に形成される第１電極１４は、第１基板１０の長辺に対応する方向（図２のＹ軸方向（第１方向））に、沿って長く形成される。
【００３１】
第１電極１４は、第１基板１０上に、帯状パターンで複数形成されて、それらの間に任意の間隔をおいて相互平行に配列される。また、第１基板１０の上には、複数の第１電極１４を電気的に連結する第１連結電極（１４ａ）が、第１電極１４の一端に連結され、第１基板１０の短辺に対応する方向（図２のＸ軸方向（第２方向））に沿って延長形成される。
【００３２】
同様に、第１基板１０の上に、複数の第２電極１６及び第２電極１６を電気的に連結する第２連結電極（１６ａ）が形成される。具体的に、第１基板１０の上に形成される第２電極１６は、第１基板１０の長辺に対応する方向（図面のＹ軸方向）に沿って延長形成される。また、第２電極１６は、帯状パターンに形成され、第１電極１４の間に、それぞれ配列される。また、第１基板１０の上に、第２連結電極（１６ａ）が、第２電極１６の一端に連結され、第１基板１０の短辺に対応する方向（図２のＸ軸方向）に沿って延長形成される。
【００３３】
これにより、第１電極１４と第２電極１６とは、第１基板１０の短辺に対応する方向（図面のＸ軸方向）に沿って交互に反復配置され、第１電極１４と第２電極１６との間には、一定の大きさのギャップ（Ｇ）（隣り合う第１電極１４と第２電極１６との間隙。）が形成される。
【００３４】
次に、図３Ａ及び図３Ｂを参照して、イメージ表示部のピクセル配列及び作動について説明する。図３Ａ及び図３Ｂは、それぞれ第１期間（ｔ１）と第２期間（ｔ２）とでのイメージ表示部ピクセル配列を示す。イメージ表示部１００には、第１ピクセル３０及び第２ピクセル３２が形成される。第１ピクセル３０は、第１電極１４の帯状パターンに対応して、画面の縦方向（図面のＹ軸方向、第１方向）に沿って延長形成される。また、第２ピクセル３２は、第２電極１４の帯状パターンに対応して、画面の縦方向（図面のＹ軸方向、第１方向）に沿って延長形成される。そして、第１ピクセル３０と第２ピクセル３２とは、画面の横方向（図面のＸ軸方向、第２方向）に沿って交互に反復配置される。
【００３５】
図３Ａに示すように、第１期間（ｔ１）には、第１ピクセル３０は、左眼用映像信号に対応して左眼用カラー映像（ＬＲ、ＬＧ、ＬＢ）を表示し、第２ピクセル３２は、右眼用映像信号に対応して右眼用カラー映像（ＲＲ、ＲＧ、ＲＢ）を表示する。このように第１期間（ｔ１）で、イメージ表示部には第１映像が表示される。
【００３６】
また、イメージ表示部１００が第１映像を表示する第１期間（ｔ１）で、第１電極１４は、第１連結電極（１４ａ）を通じて液晶駆動電圧を印加され、第２電極１６は、第２連結電極（１６ａ）を通じて基準電圧、例えば、接地電圧を印加される。また、第３電極１８は、基準電圧を印加される。
【００３７】
図３Ｂに示すように、第２期間（ｔ２）には第１期間（ｔ１）とは反対に、第１ピクセル３０は、右眼用映像信号に対応して右眼用カラー映像（ＲＲ、ＲＧ、ＲＢ）を表示し、第２ピクセル３２は、左眼用映像信号に対応して左眼用カラー映像（ＬＲ、ＬＧ、ＬＢ）を表示する。このように第２期間（ｔ２）で、イメージ表示部には第２映像が表示される。
【００３８】
イメージ表示部１００が第２映像を表示する第２期間（ｔ２）で、第１電極１４は、第１連結電極（１４ａ）を通じて基準電圧を印加され、第２電極１６は、第２連結電極（１６ａ）を通じて液晶駆動電圧を印加される。また、第３電極１８は、基準電圧を印加される。
【００３９】
このようなイメージ表示部１００とパララックスバリア２００電極との駆動によって、使用者の左眼には、第１期間（ｔ１）の間、第１ピクセル３０に表示されるイメージが提供され、第２期間（ｔ２）の間、第２ピクセル３２に表示されるイメージが提供される。また、これとは反対に、使用者の右眼には、第１期間（ｔ１）の間、第２ピクセル３２に表示されるイメージが提供され、第２期間（ｔ２）の間第１ピクセル３０に表示されるイメージが提供される。したがって、使用者は、空間分割でないこのような時分割を通して立体映像を見ることができるので、２Ｄ（従来の２次元映像）のような解像度を有する立体映像を見ることができる。
【００４０】
また、本実施形態に係る立体映像表示装置は、ノーマリーブラックモードの液晶表示素子でパララックスバリアを構成しているので、パララックスバリアの開口率を低くして、画質を向上させることができる。以下では、これを従来の立体映像表示装置、すなわち、パララックスバリアとして、オフの状態で光を透過するノーマリーホワイトモードの液晶表示素子を用いる立体映像表示装置と比較して説明する。ここで、ノーマリーホワイトモードの液晶表示素子とは、通常、光を透過し、駆動電圧を印加した際に光を透過しない液晶表示素子のことである。
【００４１】
図４Ａ及び図４Ｂは、それぞれ、従来の立体映像表示装置のようにパララックスバリアがノーマリーホワイトモードの液晶表示素子からなる場合の、第１期間（ｔ１）及び第２期間（ｔ２）における光透過特性を示す概略図である。また、図５Ａ及び図５Ｂは、それぞれ、本実施形態に係る立体映像表示装置のようにパララックスバリアがノーマリーブラックモードの液晶表示素子からなる場合の、第１期間（ｔ１）及び第２期間（ｔ２）における光透過特性を示す概略図である。以下では、図４Ａ〜図５Ｂを参照して、それぞれの場合の、光透過特性を説明する。
【００４２】
説明の便宜上、図４Ａ〜図５Ｂにおいて、パララックスバリアに用いられる液晶表示素子のうち、第１電極１４と第２電極１６とにそれぞれ対応する部位には、本実施形態の第１電極１４と第２電極１６と同様の参照番号（符号）を用いる。すなわち、図４Ａにおいて、符号１４が示す液晶表示素子の部位は、第１電極１４に対応しており、符号１６が示す液晶表示素子の部位は、第２電極１６に対応している。また、説明の便宜上、図４Ａ〜図５Ｂにおいて、各電極は省略し、液晶表示装置の各部位のみを図示した。また、以下では、液晶表示素子の駆動を説明するのに、対応する第１電極１４及び第２電極１６の駆動について説明する。
【００４３】
図４Ａ、４Ｂ、５Ａ及び５Ｂに示すように、第１電極１４及び第２電極１６は、一対をなして任意のピッチ（Ｐ）（幅）を有し、反復配置される。また、液晶表示素子は、同ピッチ（Ｐ）に対応して構成される。このとき、一つのピッチ（Ｐ）は、第１電極１４の幅（Ｗ１）と、第２電極１６の幅（Ｗ２）と、これら電極の間のギャップ（Ｇ）とを含んで形成される。また、ピッチ（Ｐ）は、パララックスバリア全面に反復配置される。すなわち、一つのピッチ（Ｐ）は、反復配置される一つの周期（最小単位）であり、第1電極１４及び第２電極１６の反復配置されるパターンの反復配置周期（距離）である。
【００４４】
さらに、このパララックスバリアを有する立体映像表示装置が、時分割方式で駆動される場合、第１期間（ｔ１）と第２期間（ｔ２）とにおいて、パララックスバリアが同一な開口率を維持しなければならないので、第１電極１４の幅（Ｗ１）と第２電極１６の幅（Ｗ２）とは互いに同一に形成され（Ｗ１＝Ｗ２＝Ｗ）、ギャップ（Ｇ）は一定に維持される。
【００４５】
このように、パララックスバリアは、反復配置された構造有する。よって、パララックスバリアの全体の開口率は、反復配置された一つのピッチ（Ｐ）内について開口率を計算し、全てのピッチ（Ｐ）内についての開口率として総合計算すれば得られる。よって、以下では、一つのピッチ（Ｐ）内に形成される開口部の、一つのピッチ（Ｐ）に対する開口率を説明する。
【００４６】
図４Ａに示すように、従来の立体映像表示装置のようにノーマリーホワイトモードの液晶表示素子をパララックスバリアに用いる場合、第１期間（ｔ１）で、第１電極１４に液晶駆動電圧が印加されれば、第１電極１４に対応する液晶表示素子は、光遮断部（Ｓ）になり、第２電極１６及びギャップ（Ｇ）に対応する液晶表示素子は、光透過部（Ｔ）になる。したがって、第１期間（ｔ１）の開口率（Ｏｗ１）は、Ｔ/（Ｔ＋Ｓ）または（Ｗ２＋２Ｇ）/２（Ｗ＋Ｇ）になる。ここで、Ｗは、上記のようにＷ１とＷ２とが同じ値になるので、便宜上Ｗに統一して記載したものである。（Ｗ１＝Ｗ２＝Ｗ）
【００４７】
また、図４Ｂに示すように、第２期間（ｔ２）で、第２電極１６に液晶駆動電圧が印加されれば、第２電極１６に対応する液晶表示素子は、光遮断部（Ｓ）になり、第１電極１４及びギャップ（Ｇ）に対応する液晶表示素子は、光透過部（Ｔ）になる。
【００４８】
したがって、この第２期間（ｔ２）の開口率（Ｏｗ２）は、Ｔ/（Ｔ＋Ｓ）または（Ｗ１＋２Ｇ）/２（Ｗ＋Ｇ）になる。この時にもＷは、上記のようにＷ１とＷ２が同じ値になるので、便宜上Ｗに統一して記載したものである。（Ｗ１＝Ｗ２＝Ｗ）
【００４９】
このように、従来の立体映像表示装置のようにノーマリーホワイトモードの液晶表示素子を用いて、パララックスバリアを構成する場合には、光透過部の部位が光遮断部の部位より大きく形成される（すなわち、ＴはＳより大きくなる（Ｔ＞Ｓ）。）。したがって、一つのピッチ（Ｐ）内は勿論、パララックスバリア全体の開口率は常に５０％を越えるようになる。
【００５０】
しかし、上記開口率では、イメージ表示部の第１ピクセルと第２ピクセルとから提供される光を、明確に分離できず、クロストーク現象が起こる。よって、使用者が鑑賞する立体映像の質は低下する。
【００５１】
立体映像の質の低下を防止するために、本実施形態では、ノーマリーブラックモードの液晶表示素子を用いてパララックスバリアを構成する。
【００５２】
図５Ａ及び図５Ｂに示すように、パララックスバリアがノーマリーブラックモードの液晶表示素子で形成される場合、第１期間（ｔ１）で、第１電極１４に液晶駆動電圧が印加されれば、上記の従来のようなノーマリーホワイトモードの場合とは違って、第１電極１４に対応する液晶表示素子は、光透過部（Ｔ）になり、第２電極１６及びギャップ（Ｇ）に対応する液晶表示素子は、光遮断部（Ｓ）になる。
【００５３】
また、第２期間（ｔ２）で、第２電極１６に液晶駆動電圧が印加されて、第２電極１６に対応する液晶表示素子は、光透過部（Ｔ）になり、第１電極１４及び電極ギャップ（Ｇ）に対応する液晶表示素子は、光遮断部（Ｓ）になる。
【００５４】
したがって、この第１期間（ｔ１）において、一つのピッチ（Ｐ）内の開口率（Ｏｂ１）は、Ｔ/（Ｔ＋Ｓ）またはＷ１/２（Ｗ＋Ｇ）になり、第２期間（ｔ２）において、一つのピッチ（Ｐ）内の開口率（Ｏｂ２）は、Ｔ/（Ｔ＋Ｓ）またはＷ２/２（Ｗ＋Ｇ）になる。このときも、Ｗは、上記のようにＷ１とＷ２とが同じ値になるので、便宜上Ｗに統一して記載したものである。（Ｗ１＝Ｗ２＝Ｗ）
【００５５】
このように、本実施形態に係る立体映像表示装置のように、ノーマリーブラックモードの液晶表示素子をパララックスバリア２００に使用する場合には、一つのピッチ（Ｐ）内に配置される第１電極１４と第２電極１６との間のギャップ（Ｇ）に対応する液晶表示素子は、光遮断部領域を形成する。よって、光遮断部は、光透過部より常に大きく形成される（すなわち、ＳはＴより大きくなる（Ｓ＞Ｔ）。）。これによって一つのピッチ（Ｐ）内は、勿論、パララックスバリア２００の全体領域における開口率を、５０％以下に低下できる。
【００５６】
したがって、本実施形態に係る立体映像表示装置の開口率は、従来のようなノーマリーホワイトモードの液晶表示素子を用いてパララックスバリア２００を構成する場合の開口率よりも低くすることができる。また、本実施形態は、開口率を低下させることによって、クロストーク現象を防ぐことができる。よって、時分割方式による高解像度の立体映像を表示すると同時に、クロストーク現象による立体映像の画質低下を防ぐことができ、高解像度と良質な立体映像を実現できる。
【００５７】
但し、この場合、開口率が減少して、立体映像表示装置の輝度が低下する。輝度が低下するという問題は、イメージ表示部１００の輝度を、全体的に増加させることによって、解決が可能である。例えば、イメージ表示部１００が液晶表示装置からなる場合、液晶表示装置に備わるバックライトの輝度を増加させることによって、立体映像表示装置の輝度を維持できる。
【００５８】
以上、添付図面を参照しながら本発明の好適な実施形態について説明したが、本発明は係る例に限定されないことはいうまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５９】
本発明は、立体映像表示装置に適用可能であり、特にパララックスバリアを用いる、オートステレオスコピー方式の立体映像表示装置に適用可能である。
【図面の簡単な説明】
【００６０】
【図１】本発明の実施形態に係る立体映像表示装置を示す断面図である。
【図２】同実施形態に係るパララックスバリアの電極構造を示す平面図である。
【図３Ａ】同実施形態に係る第１期間（ｔ１）におけるイメージ表示部のピクセル配列を示す概略図である。
【図３Ｂ】同実施形態に係る第２期間（ｔ２）における、メージ表示部のピクセル配列を示す概略図である。
【図４Ａ】従来の立体映像表示装置のようにパララックスバリアがノーマリーホワイトモードの液晶表示素子からなる場合の、第１期間（ｔ１）における光透過特性を示す概略図である。
【図４Ｂ】従来の立体映像表示装置のようにパララックスバリアがノーマリーホワイトモードの液晶表示素子からなる場合の、第２期間（ｔ２）における光透過特性を示す概略図である。
【図５Ａ】本発明の実施形態に係る立体映像表示装置のようにパララックスバリアがノーマリーブラックモードの液晶表示素子からなる場合の、第１期間（ｔ１）における光透過特性を示す概略図である。
【図５Ｂ】同実施形態に係る立体映像表示装置のようにパララックスバリアがノーマリーブラックモードの液晶表示素子からなる場合の、第２期間（ｔ２）における光透過特性を示す概略図である。
【符号の説明】
【００６１】
１０      第１基板
１２      第２基板
１４      第１電極  
１４ａ    第１連結電極
１６      第２電極  
１６ａ    第２連結電極
１８      第３電極
２０ａ、２０ｂ    配向膜
２２      液晶層
２４ａ、２４ｂ    偏光板
３０      第１ピクセル
３２      第２ピクセル
１００    イメージ表示部
２００    パララックスバリア
【図１】
2007156413.tif 000003
【図２】
2007156413.tif 000004
【図３Ａ】
2007156413.tif 000005
【図３Ｂ】
2007156413.tif 000006
【図４Ａ】
2007156413.tif 000007
【図４Ｂ】
2007156413.tif 000008
【図５Ａ】
2007156413.tif 000009
【図５Ｂ】
2007156413.tif 000010